(57)【要約】【課題】  確実に電源装置の冷却を行うことができ、また、省エネルギーを実現させた電源装置、電源装置を用いたプロジェクタおよび電子機器を提供する。【解決手段】  電源装置１は、外部から入力する交流電力を各種の直流電力に変換し出力する主電源部２と、主電源部２を冷却する電源ファン４と、電源装置１を制御する電源制御部３とを備える。電源制御部３は、タイマー回路３１１を備えて、外部からの電源出力停止信号を受取ると、タイマー回路３１１を起動又は制御し、その計時時間が所定時間に達すると、電源ファン４の駆動を停止する。【選択図】      図３
2005269864.tif 000002
【特許請求の範囲】
【請求項１】
電力を供給する電源装置であって、
前記電源装置は、外部から入力する交流電力を各種の直流電力に変換し出力する主電源部と、前記主電源部を冷却する電動ファンと、前記電源装置を制御する電源制御部とを備え、
前記電源制御部は、タイマー回路を備え、外部から入力する電源出力停止信号を受取ると、前記タイマー回路を起動又は制御して、その計時時間が所定時間に達すると、前記電動ファンの駆動を停止することを特徴とする電源装置。
【請求項２】
請求項１に記載の電源装置であって、
前記電源制御部は、前記タイマー回路と、前記主電源部から前記電動ファンへの電力供給を切るスイッチとを備え、
前記電源出力停止信号を受取ると、前記電源制御部は、前記タイマー回路を起動又は制御して、その計時時間が所定時間に達したときに、当該タイマー回路から出力される出力信号に基づいて、前記スイッチを切ることで前記電動ファンの駆動を停止させることを特徴とする電源装置。
【請求項３】
請求項１に記載の電源装置であって、
前記電源制御部は、前記タイマー回路と、主電源部を制御するコントロール回路とを備え、
前記電源出力停止信号を受取ると、前記電源制御部は、前記タイマー回路を起動又は制御して、その計時時間が所定時間に達したときに、当該タイマー回路から出力される出力信号に基づいて、前記コントロール回路が主電源部を切ることで電動ファンの駆動を停止させることを特徴とする電源装置。
【請求項４】
請求項１に記載の電源装置であって、
前記電源制御部は、前記タイマー回路と、前記主電源部から前記電動ファンへの電力供給を切るスイッチと、前記主電源部を制御するコントロール回路とを備え、
前記電源出力停止信号を受取ると、前記電源制御部は、前記タイマー回路を起動又は制御して、その計時時間が所定時間に達したときに、当該タイマー回路から出力される出力信号に基づいて、前記スイッチを切ることで前記電動ファンの駆動を停止させ、合せて前記コントロール回路が主電源部を切ることを特徴とする電源装置。
【請求項５】
請求項１〜請求項４のいずれか一項に記載の電源装置であって、
前記電源装置は、さらに待機時用のサブ電源部を備え、
前記電源制御部は、前記電源出力停止信号を受取ると、前記タイマー回路を起動又は制御して、その計時時間が所定時間に達したときに、当該タイマー回路から出力される出力信号に基づいて、前記主電源部の動作を停止させ、前記サブ電源の動作を開始させることを特徴とする電源装置。
【請求項６】
請求項１〜請求項５のいずれか一項に記載の電源装置であって、
前記電源出力停止信号は、前記電源装置を備える装置の制御を行う制御部から出力されることを特徴とする電源装置。
【請求項７】
請求項１〜請求項６のいずれか一項に記載の前記電源装置を備えたプロジェクタであって、
前記プロジェクタは、当該プロジェクタを制御する制御部と、画像を投写するための光源と、光源を駆動するバラストと、光源を冷却する光源用電動ファンとを備え、
前記制御部は、前記電源出力停止信号を出力させるのに合せて、前記バラストの出力を停止させ、前記主電源部を構成するDC/DC変換回路の出力のうち、前記光源用電動ファンの駆動に必要な電力を供給する出力以外の出力を切り、前記光源用電動ファンを所定時間駆動し停止させた後、前記DC/DC変換回路の出力を全て切り、
前記電源制御部は、前記電源出力停止信号に基づいて、タイマー回路を起動又は制御して、その計時時間が所定時間に達すると、前記制御部とは独立して前記電動ファンの駆動を停止させることを特徴とするプロジェクタ。
【請求項８】
請求項１〜請求項６のいずれか一項に記載の前記電源装置と、前記電源出力停止信号を出力する制御部とを備えたことを特徴とする電子機器。
【発明の詳細な説明】
【技術分野】
【０００１】
本発明は電動ファンで冷却する電源装置および電源装置を用いた電子機器に関する。
【背景技術】
【０００２】
従来、プロジェクタの光源であるランプおよび電力を供給する電源の発する熱の冷却には電動ファンが用いられていた。そして、ランプ冷却用のファンと電源冷却用のファンは同一の動作制御により駆動されるか、特段の制御をされずに常に回転するようになっていた。よって、双方の電動ファンの起動および停止は同期していた。また、プロジェクタの投写を終了（ランプを消灯）させた時点以降における電動ファンの駆動時間は、ランプの冷却に必要な時間に合せて決められていた。その場合、ランプの冷却時間が電源の冷却に必要な時間に対して十分長かったため、電源は十分冷却されていた。そのため、プロジェクタの投写を終了させた時点以降におけるランプおよび電源の熱に関して、特に問題にならなかった。
また、電動ファンの駆動に関しては、大静電容量のコンデンサを用いて主電源部スイッチのオフ後、もしくはコンセントが引き抜かれた場合でも所定時間、電動ファンを駆動することができる電動ファンの駆動装置なども提案されている（特許文献１）。
【０００３】
【特許文献１】特開平９−１５１８９６号公報
【発明の開示】
【発明が解決しようとする課題】
【０００４】
しかし、最近では、プロジェクタの投写を終了（ランプを消灯）させた時点以降における、ランプの冷却時間が短縮されてきており、電源の冷却に必要な時間が確保できなくなってきている。また、省エネルギーの必要性もあり、更に冷却時間は短くなる方向である。
本発明は、上記課題に鑑みてなされたものであり、確実に電源装置の冷却を行うことができ、また、省エネルギーを実現させた電源装置、電源装置を用いたプロジェクタおよび電子機器を提供することを目的とする。
【課題を解決するための手段】
【０００５】
上述した課題を解決し、目的を達成するために、本発明では、電源装置は、外部から入力する交流電力を各種の直流電力に変換し出力する主電源部と、主電源部を冷却する電動ファンと、電源装置を制御する電源制御部とを備え、電源制御部は、タイマー回路を備え、外部から入力する電源出力停止信号を受取ると、タイマー回路を起動又は制御して、その計時時間が所定時間に達すると、電動ファンの駆動を停止することを特徴とする。
この発明により、電源装置は、例えば商用の交流電力を各種の直流電力に変換し出力する主電源部と、主電源部を冷却する電動ファンと、電源装置を制御する電源制御部とを備え、また、電源制御部はタイマー回路を備えたため、電源制御部は、外部から入力する電源出力停止信号を受取ると、タイマー回路を起動して計時を開始させる。そして、タイマー回路に設定された所定時間になると電動ファンを停止させる。そのため、主電源部を構成する電気素子が発熱した場合に、タイマー回路に設定される時間になるまで電動ファンを駆動（回転）させることができ、電気素子を冷却することができる。それによりタイマー回路の設定時間を、他の部品を冷却するために必要な時間と関係なく、電源回路の電気素子が十分冷却されるに必要な時間に設定することで、電気素子は十分冷やされ電気素子の信頼性が向上する。また、時間の設定を電源回路内で行えることにより、電源回路とこれから電源供給を受ける他の回路との組み合わせにおいて、組み合わせの変更などを容易に行うことができる。
【０００６】
また、本発明の好ましい態様によれば、電源制御部は、タイマー回路と、主電源部から電動ファンへの電力供給を切るスイッチとを備え、電源出力停止信号を受取ると、電源制御部は、タイマー回路を起動又は制御して、その計時時間が所定時間に達したときに、タイマー回路から出力される出力信号に基づいて、スイッチを切ることで電動ファンの駆動を停止させることを特徴とする。
このような電源装置により、電源制御部は、電源出力停止信号を受取り、電動ファンをタイマー回路により所定時間駆動させた後、タイマー回路はタイムアップしたという信号を出力する。そして、その信号によりスイッチを切ることで電動ファンの駆動を停止できる。そのため、主電源部を構成する電気素子が発熱した場合に、タイマー回路に設定される時間になるまで電動ファンを駆動（回転）させることができ、電気素子を冷却することができる。それによりタイマー回路の設定時間を電気素子が十分冷却されるに必要な時間に設定することで、電気素子は十分冷やされ電気素子の信頼性が向上する。
【０００７】
また、本発明の好ましい態様によれば、電源制御部は、タイマー回路と、主電源部を制御するコントロール回路とを備え、電源出力停止信号を受取ると、電源制御部は、タイマー回路を起動又は制御して、その計時時間が所定時間に達したときに、タイマー回路から出力される出力信号に基づいて、コントロール回路が主電源部を切ることで電動ファンの駆動を停止させることを特徴とする。
このような電源装置により、電源制御部は、電源出力停止信号を受取り、電動ファンをタイマー回路により所定時間駆動させた後、タイマー回路はタイムアップしたという信号を出力する。そして、その信号に基づいて、コントロール回路が主電源部のスイッチを切ることで、タイマー回路および電動ファンに電力を供給する出力部も切れることで、電動ファンの駆動を停止することができる。そのため、主電源部を構成する電気素子が発熱した場合に、タイマー回路に設定される時間になるまで電動ファンを駆動（回転）させることができ、電気素子を冷却することができる。それによりタイマー回路の設定時間を電気素子が十分冷却されるに必要な時間に設定することで、電気素子は十分冷やされ電気素子の信頼性が向上する。
【０００８】
また、本発明の好ましい態様によれば、電源制御部は、タイマー回路と、主電源部から電動ファンへの電力供給を切るスイッチと、主電源部を制御するコントロール回路とを備え、電源出力停止信号を受取ると、電源制御部は、タイマー回路を起動又は制御して、その計時時間が所定時間に達したときに、タイマー回路から出力される出力信号に基づいて、スイッチを切ることで電動ファンの駆動を停止させ、合せてコントロール回路が主電源部を切ることを特徴とする。
このような電源装置により、電源制御部は、電源出力停止信号を受取り、電動ファンをタイマー回路により所定時間駆動させた後、タイマー回路はタイムアップしたという信号を出力する。そして、その信号によりスイッチを切ることで電動ファンの駆動を停止できる。また、その信号に基づいて、コントロール回路が主電源部のスイッチを切ることで、タイマー回路および電動ファンに電力を供給する出力部も切れる。
そのため、主電源部を構成する電気素子が発熱した場合に、タイマー回路に設定される時間になるまで電動ファンを駆動（回転）させることができ、電気素子を冷却することができる。それによりタイマー回路の設定時間を電気素子が十分冷却されるに必要な時間に設定することで、電気素子は十分冷やされ電気素子の信頼性が向上する。
また、主電源部が切れることで、主電源部は駆動しないため消費電力を低減できる。よって電源装置自体の省エネルギーを実現できる。
【０００９】
また、本発明の好ましい態様によれば、電源装置は、さらに待機時用のサブ電源部を備え、電源制御部は、電源出力停止信号を受取ると、タイマー回路を起動又は制御して、その計時時間が所定時間に達したときに、タイマー回路から出力される出力信号に基づいて、前記主電源部の動作を停止させ、前記サブ電源の動作を開始させることを特徴とする。
このような電源装置により、電源制御部は、電源出力停止信号を受取り、電動ファンをタイマー回路により所定時間駆動させた後、タイマー回路はタイムアップしたという信号を出力する。そして、その出力信号に基づいて、主電源部の動作を停止させて、待機時用のサブ電源の動作を開始させることができる。そのため、サブ電源により必要最低限の電力を出力することができる。また、サブ電源に切替えた以降は、主電源部は駆動しないため消費電力を低減できる。よって省エネルギーを実現することができる。
【００１０】
また、本発明の好ましい態様によれば、電源出力停止信号は、電源装置を備える装置の制御を行う制御部から出力されることを特徴とする。
このような電源装置により、電源装置が組み込まれる装置の制御部から電源出力停止信号を受取ることができるため、制御部に制御される装置の電源装置として構成できる。
【００１１】
また、本発明の好ましい態様によれば、電源装置を備えたプロジェクタであって、プロジェクタは、プロジェクタを制御する制御部と、画像を投写するための光源と、光源を駆動するバラストと、光源を冷却する光源用電動ファンとを備え、制御部は、電源出力停止信号を出力させるのに合せて、バラストの出力を停止させ、主電源部を構成するDC/DC変換回路の出力のうち、光源用電動ファンの駆動に必要な電力を供給する出力以外の出力を切り、光源用電動ファンを所定時間駆動し停止させた後、DC/DC変換回路の出力を全て切り、電源制御部は、電源出力停止信号に基づいて、タイマー回路を起動又は制御して、その計時時間が所定時間に達すると、制御部とは独立して電動ファンの駆動を停止させることを特徴とする。
このようなプロジェクタにより、プロジェクタを制御する制御部は、電源出力停止信号を出力するのと合せて、バラストの出力を停止させて、主電源部を構成するDC/DC変換回路の出力のうち光源用電動ファンの駆動に必要な電力を供給する出力以外を切り、光源用電動ファンを所定時間駆動し、停止させる。そして、停止後、その光源用電動ファンに電力供給していた出力も切ることができる。よって制御部は光源用電動ファン停止後は、駆動しないため、省エネルギーを実現できる。
また、電源制御部は制御部の電源出力停止信号に基づいて、タイマー回路を起動又は制御して、所定時間経過後、制御部とは独立して電動ファンを停止させることができる。このとき、主電源部が十分冷却されるに必要な時間をタイマーの所定時間として、電動ファンを駆動させることができるため、主電源部を構成する電気素子が発熱した場合に、制御部からの制御を受けずに、電気素子を十分冷却することができる。このため、主電源部の信頼性が向上したプロジェクタを実現できる。
【００１２】
また、本発明の好ましい態様によれば、電子機器に電源装置と電源出力停止信号を出力する制御部とを備えたことを特徴とする。
このような電子機器において、電子機器に備えられた電源装置と電源出力停止信号を出力する制御部とにより、電源装置は電子機器を制御する制御部からの電源出力停止信号を受取ると、電源制御部により、制御部からの制御を受けずに、電動ファンをタイマー回路により所定時間駆動することができる。また、主電源部を切ることができる。また、サブ電源に切替えることができる。
そのため、主電源部を十分に冷却することができる。よって、電源装置の信頼性が向上する。また、サブ電源に切替えて主電源部は駆動しないため消費電力を低減できる。よって省エネルギーを実現することができる。そのため、電源装置の信頼性を向上し省エネルギーを実現した電子機器が可能となる。
【発明を実施するための最良の形態】
【００１３】
以下、本発明の第１の実施形態を図面に基づいて説明する。
（第１の実施形態）
【００１４】
図１は本発明の電源装置をプロジェクタに備えた場合の電源装置および制御部の概略構成図である。図１を用いて構成および動作を説明する。
電源装置１は、主電源部２と、待機時用のサブ電源５と、主電源部２およびサブ電源５を制御する電源制御部３とを備えている。そして電源制御部３に接続する電動ファンとしての電源ファン４を備えて構成されている。
また、電源装置１は外部の商用電源から交流電力を供給させるためのインレット１２が接続されている。そして、主電源部２からはプロジェクタの画像を投写するための光源となるランプ１１に電力を供給するため、バラスト１０が接続されている。
また、プロジェクタの全体を制御する制御部６として、制御用ＣＰＵ７と待機時用のサブＣＰＵ８を備えている。そして、制御部６からは光源を冷却するための光源用電動ファンとしてのランプファン９が接続されている。そして、主電源部２からはプロジェクタの各部に電力を供給するための各種の電力が供給されている。また、待機時用にサブ電源５からはサブＣＰＵ８への電力が供給されている。
【００１５】
プロジェクタにおいて、電源装置１はインレット１２を介して、商用電源から交流電力が供給され、その交流電力を整流および平滑化して所定の回路に必要な各種の電圧値の直流電力に変換し出力している。プロジェクタの制御部６である制御用ＣＰＵ７にも電力を供給している。また、プロジェクタが待機状態の時には、電源装置１はサブ電源５を動作させて、制御部６もサブＣＰＵ８を動作させている。その場合、サブ電源５がサブＣＰＵ８に電力を供給している。
また、主電源部２に接続されるバラスト１０は使用するランプ１１の規格に応じた駆動電力を供給している。
【００１６】
ここで、プロジェクタのインレット１２を商用電源のコンセントに接続することで、プロジェクタは待機時状態になる。電源装置１はサブ電源５が駆動し、制御部６はサブＣＰＵ８が駆動する。そして、サブＣＰＵ８がパワー“ON”信号を出力すると、電源装置１は電源制御部３により主電源部２に切替わり駆動を開始する。それにより、バラスト１０に電力を供給し、また、制御用ＣＰＵ７を駆動するための電力供給を含め各種の電力を出力する。そして、電源ファン４やランプファン９を駆動開始する。そして、バラスト１０はランプ１１に電力を供給しランプ１１を点灯させる。そして、ランプ１１が点灯しランプ１１以降に構成される光学系（図示省略）および画像制御系（図示省略）により、プロジェクタが画像を投写することができる。
このとき、電源ファン４は、主電源部２を構成する電気素子を冷却し温度の上昇を抑制している。また、ランプファン９は、ランプ１１を冷却し温度の上昇を抑制している。
【００１７】
図２は電源装置１の概略構成図である。図２を用いて、電源装置１の構成を説明する。
電源装置１は商用電源からの交流電力を電源装置１に供給するためのインレット１２と、供給された交流電力およびこれ以降に接続される回路で発生する低周波ノイズおよび高周波ノイズをカットするＥＭＣ（Electro-Magnetic Compatibility）用フィルター２１と、交流電力を整流・平滑し直流電力に変換する整流・平滑回路２２と、整流・平滑回路２２により昇圧された直流電力を各種の直流電力に変換し、プロジェクタを構成する制御部６やその他各回路ブロックに出力するDC/DC変換回路２３と、制御部６からの信号を受ける電源制御部３と、主電源部２を冷却する電源ファン４とから構成される。また、電源制御部３は、制御部６からの電源出力停止信号を受けて動作するタイマー部３１と整流・平滑回路２２およびDC/DC変換回路２３をコントロールするコントロール回路３２から構成されている。ここで主電源部２としては整流・平滑回路２２と、DC/DC変換回路２３とから構成される部分をいっている。
また、プロジェクタが待機時モードになった場合の電源としてサブ電源５を備えている。サブ電源５は主電源部２と同じく整流・平滑回路や、DC/DC変換回路で構成されており（サブ電源の構成図は省略）、サブＣＰＵ８を駆動するのに必要な直流電力を供給している。
また、整流・平滑回路２２で昇圧された直流電力をバラスト１０に供給している。
【００１８】
図３は電源装置の概略の回路図である。図３を用いて電源装置１の回路構成および動作を説明する。
電源装置１は、インレット１２により商用電源から交流電圧が供給される。そして、ＥＭＣ用フィルター２１は、供給された交流電圧や、これ以降に接続される回路などで発生する低周波ノイズおよび高周波ノイズをカットする。そのため、ＥＭＣ用フィルター２１は、インレット１２にフェライトコアを装着することを含め、コイルやコンデンサを組合わせた回路（図示省略）で構成されている。
【００１９】
そして、ＥＭＣ用フィルター２１を通った交流電圧を整流・平滑回路２２により直流電圧に変換することになる。整流・平滑回路２２の説明を行う。
【００２０】
ＥＭＣ用フィルター２１を通った交流電圧を整流器３０およびコンデンサＣ１により交流電圧を整流し脈流に変換する。次に、昇圧チョッパ回路を用いて直流の昇圧電圧を生成することになる。昇圧チョッパ回路は、コイルＬ１と、トランジスタ（ＦＥＴ）Ｔ１と、ダイオードＤ１と、コンデンサＣ２とから構成されている。
【００２１】
コイルＬ１は、誘導起電力を生じさせる素子であり、一端は整流器３０からの出力端子に接続され、他端はトランジスタＴ１のドレインに接続される。トランジスタＴ１は、電源制御部３を構成するコントロール回路３２であるコントロール回路Ａ３２１からの制御信号がゲートに入力し、入力した制御信号に基づいて周期的にON、OFFを切替える。ダイオードＤ１は、アノードがトランジスタＴ１のドレインに接続され、カソードが出力側に接続されている。コンデンサＣ２は、コイルＬ１により生じた昇圧電圧を平滑化している。
【００２２】
そして、整流器３０およびコンデンサＣ１により生成した電圧が入力すると、トランジスタＴ１はコントロール回路Ａ３２１の制御信号に基づいてON、OFFする。そして、トランジスタＴ１がONしている期間は、ダイオードＤ１は非導通状態となり、コイルＬ１からトランジスタＴ１に電流が流れる。この時、コイルＬ１に流れる電流により誘導起電力を生じさせるためのエネルギーがコイルＬ１に蓄えられる。
そして、トランジスタＴ１がOFFすると、ダイオードＤ１は導通状態となり、コイルＬ１には電流を妨げる方向に誘導起電力が生じるため、この誘導起電力がダイオードＤ１を介して昇圧電圧を出力することになる。また、昇圧電圧はコンデンサＣ２により平滑化され、安定した直流の昇圧電圧を出力することができる。
【００２３】
その後、DC/DC変換回路（DC/DCコンバータ）２３により、各種の直流電圧（図３ではVout１、Vout２）に変換することになる。DC/DCコンバータの説明を行う。
【００２４】
生成された直流の昇圧電圧の出力は、トランスＬ２の１次側コイルＬ２１とトランジスタＴ２とに接続される。そして、トランジスタＴ２は、電源制御部３を構成するコントロール回路３２であるコントロール回路Ｂ３２２からの制御信号がゲートに入力し、入力した制御信号に基づいて周期的にON、OFFを切替える。
【００２５】
また、各種の直流出力電圧を生成するための回路として、例えば、出力電圧Vout1を生成するためには、トランスＬ２の２次側コイルＬ２２と、ダイオードＤ２と、コンデンサＣ３とから構成される。そして、２次側コイルＬ２２の一端とダイオードＤ２のアノードと接続され、ダイオードＤ２のカソードは出力端子側に接続される。また、２次側コイルＬ２２の他端は出力端子と接続され、コンデンサＣ３は両方の出力端子の間に接続される。また、出力電圧Vout2を生成するためには、トランスＬ２の２次側コイルＬ２３と、ダイオードＤ３と、コンデンサＣ４とから、出力電圧Vout1を生成するのと同様の接続で構成される。
このように、必要とする直流出力電圧の数に応じて、同様の構成を備えることで直流電圧を生成し、例えば、12V、5.0V、3.3Vなどの各種直流電圧を出力する。
【００２６】
動作としては、例えば、出力電圧Vout2を生成する回路を例にした場合、トランジスタＴ２がONすると、ダイオードＤ３は非導通状態となり、トランスＬ２の１次側コイルＬ２１にエネルギーが蓄えられる。ここで、トランジスタＴ２がOFFすると、ダイオードＤ３は導通状態になり、トランスＬ２に蓄えられたエネルギーがダイオードＤ３を介してコイルＬ２３に応じた電圧を出力する。そして、コンデンサＣ４により平滑化されて、安定した直流電圧として出力される。
【００２７】
また、直流出力電圧Vout1、Vout2を生成する回路には、出力側に直列にそれぞれトランジスタＴ３、Ｔ４が接続されており、コントロール回路Ｃ４０の制御信号がそれぞれのゲートに入力し、入力した制御信号に基づいて、それぞれの直流出力電圧のON、OFFを切替えている。また、コントロール回路Ｃ４０は、プロジェクタの制御部６からの制御信号に基づいて動作している。
【００２８】
また、コントロール回路Ａ３２１およびコントロール回路Ｂ３２２は、それ以降での回路の負荷状態に応じて、トランジスタＴ１およびトランジスタＴ２のスイッチングの周波数やON/OFFの比であるデューティー比を変化させ安定化した出力電圧を得る制御をしている。
【００２９】
また、ＥＭＣ用フィルター２１を通った交流電圧を分岐させてサブ電源５用に供給している。サブ電源５の回路構成は、上述した整流・平滑回路２２およびDC/DC変換回路２３の構成とほぼ同様であり、簡略化して低電力の出力が可能なだけの回路構成となっている。また、トランジスタおよびコントロール回路を備え出力電圧を制御していることも上述したと同様である。そして出力電圧として、例えばVoutSを出力する。
【００３０】
また、整流・平滑回路２２で生成した直流昇圧電圧をバラスト１０用に分岐させている。
ここで、本実施形態において、バラスト１０は、ランプ１１の電極間に放電経路の火種を作る始動器（イグナイタ）と、ランプ１１の特性に基づいた制御を行う安定器（バラスト）とを含めてバラスト１０としている。また、本実施形態において、ランプ１１は、交流点灯型の超高圧水銀ランプを用いている。よって、バラスト１０は直流昇圧電圧からランプ１１を始動するためのパルス電圧およびランプ１１の特性に基づいた一定電力を生成するための回路で構成されている。出力電圧としてVoutBとしている。
【００３１】
本実施形態のタイマー部３１は、タイマー回路３１１およびスイッチ３１２を備えている。そして、直流出力電圧Vout2を生成する回路において、トランジスタＴ４の前部でコンデンサＣ４の後部からコンデンサＣ４に並列に接続され、直流出力電圧Vout2を供給される。また、タイマー部３１は主電源部２を冷却する電源ファン４を制御している。
【００３２】
ここで、電源制御部３は、タイマー部３１と、コントロール回路３２とを備え、コントロール回路３２はコントロール回路Ａ３２１と、コントロール回路Ｂ３２２とを備えている。
【００３３】
ここで、プロジェクタのインレット１２を商用電源のコンセントに接続することで、プロジェクタは待機時状態となる。待機時状態では、サブ電源５およびサブＣＰＵ８が動作して、主電源部２や制御用ＣＰＵ７およびその他回路部（図示省略）が動作を停止している状態である。回路的には、サブ電源５が駆動して、出力電圧VoutSを出力し、その出力電圧VoutSをサブＣＰＵ８に供給している。そして、サブＣＰＵ８は、プロジェクタに備える操作部（図示省略）からの入力信号や、リモコン受光部（図示省略）からのリモコンによる信号入力を待つ動作を行っている。
【００３４】
そして、待機時状態において、プロジェクタの操作部またはリモコンからパワー“ON”の操作信号をサブＣＰＵ８が受取ると、その操作信号に基づき、サブＣＰＵ８がパワー“ON”信号を出力する。
その信号をタイマー部３１を介してコントロール回路３２としてのコントロール回路Ａ３２１、コントロール回路Ｂ３２２が受取り、各コントロール回路は各トランジスタＴ１,Ｔ２に信号を送る動作を開始する。同様にコントロール回路Ｃ４０もその信号を受取り、トランジスタＴ３,Ｔ４に信号を送る動作を開始する。それにより、主電源部２は駆動開始して各種の直流電圧を出力する。また、タイマー部３１は電源ファン４を駆動開始させる。
【００３５】
また、バラスト１０もサブＣＰＵ８からのパワー“ON”信号を受取り、駆動開始して、ランプ１１を点灯させるためのパルス電圧VoutBを出力して、ランプ１１の電極を放電させ点灯させる。また、制御用ＣＰＵ７も主電源２からの電源供給を受けて駆動を開始して、ランプファン９を起動させる。また、タイマー部３１を介してサブ電源５に備えるコントロール回路はサブ電源５の駆動を停止する。
【００３６】
このようにして、プロジェクタの電源装置１、制御部６、バラスト１０、ランプ１１、ランプファン９および制御部６が制御するプロジェクタのその他回路部が駆動を開始する。そして、ランプ１１以降に構成される光学系（図示省略）および画像制御系（図示省略）により、結果としてプロジェクタは画像を投写することができる。
【００３７】
ランプ１１を点灯している間は、主電源部２を構成する電子部品は発熱し、また、ランプ１１も発熱する。そのために、主電源部２を構成する電気素子が許容される温度範囲内になるように、電源ファン４は駆動（回転）して温度の上昇を抑制している。また、ランプ１１が許容される温度範囲内になるように、ランプファン９は駆動（回転）して温度の上昇を抑制している。
【００３８】
ここで、プロジェクタの操作部またはリモコンからパワー“OFF”の操作信号を制御用ＣＰＵ７が受取ると、制御用ＣＰＵ７はその操作信号に応じたパワー“OFF”の信号（Ｓ１とする）を出力する。
バラスト１０は、その信号Ｓ１に基づいて、その内部に備えるコントロール回路により、バラスト１０の動作を停止させることで、ランプ１１を消灯させる。
また、コントロール回路Ｃ４０は、その信号Ｓ１に基づいて、主電源部２において、ランプファン９を駆動するために必要な電力の出力を除き、それ以外の出力電圧の供給をトランジスタをOFFし、停止する。本実施形態では、Vout2の12Vの出力によりランプファン９を駆動するため、Vout1をはじめとする他の出力電圧の出力は、コントロール回路Ｃ４０がトランジスタＴ３等に“OFF”信号を送ることにより停止させる。
そして、制御用ＣＰＵ７はランプファン９をランプ１１消灯後も所定時間駆動させ、所定時間経過後に停止させる。そして、コントロール回路Ｃ４０にタイムアップしたという信号を送る。コントロール回路Ｃ４０はそのタイムアップ信号に基づきトランジスタＴ４をOFFさせてVout2の出力を停止させる。
【００３９】
そして、制御用ＣＰＵ７は、電源装置１のサブ電源５の駆動開始を待って、サブ電源５からの電力VoutSがサブＣＰＵ８に供給開始すると、制御用ＣＰＵ７はサブＣＰＵ８に切替えて、完全に待機時状態となる。
【００４０】
電源装置１においては、タイマー部３１が制御用ＣＰＵ７からパワー“OFF”の信号Ｓ１を受け、タイマー回路３１１を起動する。タイマー回路３１１は計時を開始して、その計時時間が設定された所定時間になるとタイムアップしたという信号（Ｓ２とする）を出力し、その信号Ｓ２に基づいてスイッチ３１２のゲートをOFFさせて、電源ファン４の駆動を停止させる。ここで、タイマー回路３１１は常に計時の動作をしており、信号Ｓ１を受けることによって、ゼロにリセットされるような制御がされるものでも良い。
【００４１】
タイマー部３１はタイマー回路３１１のタイムアップの信号Ｓ２をコントロール回路Ａ３２１およびコントロール回路Ｂ３２２に出力し、コントロール回路Ａ３２１はその信号Ｓ２に基づきトランジスタＴ１のゲートをOFFし、また、コントロール回路Ｂ３２２はその信号Ｓ２に基づきトランジスタＴ２のゲートをOFFし、主電源部２の動作は停止する。
【００４２】
また、タイムアップの信号Ｓ２はサブ電源５のコントロール回路にも出力され、コントロール回路はその信号Ｓ２に基づきサブ電源５を起動して電圧VoutSを出力する。
このようにして、主電源部２はサブ電源５に切替わり、待機時状態となる。
【００４３】
上述した、第１の実施形態によれば以下の効果が得られる。
（１）電源制御部３にタイマー部３１を備えたため、電源出力停止信号であるパワー“OFF”信号を制御用ＣＰＵ７から受取ると、タイマー回路３１１を起動し、設定された所定時間を計時し、所定時間経過後、スイッチ３１２を0FFすることで、電源ファン４の駆動を停止することができる。そのため、制御用ＣＰＵ７の制御を受けずに、主電源部２を構成する電気素子を冷却することができる。よって、主電源部２の信頼性が向上する。
【００４４】
（２）電源制御部３は、電源出力停止信号であるパワー“OFF”信号を制御用ＣＰＵ７から受取ると、タイマー回路３１１を起動し、設定された所定時間を計時し、所定時間経過後、タイマー回路３１１はタイムアップしたという信号Ｓ２を出力する。そして、その信号Ｓ２に基づいて、コントロール回路Ａ３２１およびコントロール回路Ｂ３２２はトランジスタＴ１およびトランジスタＴ２をOFFして、主電源部２の駆動を停止させるので、タイマー回路３１１および電源ファン４に電力を供給する出力部も切れることで、電源ファン４を停止することができる。その場合、スイッチ３１２を使用しなくても良い。
また、サブ電源５のコントロール回路は信号Ｓ２により、サブ電源５を起動させることができる。そのため、サブ電源５により必要最低限の電力を出力することができ、サブ電源５に切替えた以降は、主電源部２は駆動しないため消費電力を低減できる。よって省エネルギーを実現することができる。
【００４５】
（３）プロジェクタを制御する制御部６は、電源出力停止信号であるパワー“OFF”信号を出力するのと合せて、バラスト１０の出力を停止させて、ランプファン９を所定時間駆動し停止させる。それ以降は、主電源部２を構成するDC/DC変換回路２３の出力電圧供給をコントロール回路Ｃ４０により停止することができるため、制御用ＣＰＵ７も待機時状態に切替えることができる。そのため、省エネルギーが実現できる。
【００４６】
（４）上記第１の実施形態により、電源装置１は信頼性が向上し、電源装置１および制御部６の省エネルギーを実現させたプロジェクタを提供できる。
【００４７】
（第２の実施形態）
次に、本発明の第２の実施形態を図面に基づいて説明する。
【００４８】
図４は本発明の電源装置を電子機器であるＤＶＤ（Digital Versatile Disk）再生装置１００に搭載したときの概略構成図である。図４を用いて、構成および動作を説明する。
【００４９】
ＤＶＤ再生装置１００は、本発明の電源装置１と、制御部６と、操作を行う操作部５０と、ＤＶＤ再生装置１００としての機能を実施する機能動作部６０と、その結果を表示する表示部７０と、音を出力するスピーカ部８０とを備えている。
【００５０】
また、電源装置１は、ＤＶＤ再生装置１００を構成する各部に必要な電力を供給する部分である。制御部６は、ＤＶＤ再生装置１００全体の制御を行っている。操作部５０は、ＤＶＤの画像操作やＤＶＤ再生装置１００の設定操作を行うためのキースイッチを備えている。また、リモコンによっても操作できる。機能動作部６０は、ＤＶＤを再生させるための機構部や回路部で構成されている。表示部７０は、再生したＤＶＤの画像の表示や、操作のための文字画像の表示を行うために液晶パネルを用いている。また、スピーカ部８０により、再生したＤＶＤの音声や音楽を報音する。
【００５１】
この構成により、制御部６から電源出力停止信号であるパワー“OFF”信号を電源装置１が受取ると、電源装置１のタイマー回路３１１を起動し、制御部６から制御を受けずに所定時間、電源ファン４を継続して駆動させることができる。そのため、電源装置１の主電源部２を構成する電気素子を十分冷却することがでる。また、その後、サブ電源に切替えて待機時状態となるため、主電源部２の消費電力を低減できることで省エネルギーを実現することができる。よって、電源装置１の信頼性を向上し、また、省エネルギーを実現したＤＶＤ再生装置１００が可能となる。
【００５２】
また、第２の実施形態のように、ＤＶＤ再生装置１００に電源装置１および電源出力停止信号を出力する制御部を搭載するだけでなく、その他の電子機器にも搭載することが可能である。例えば、ＰＣ（パーソナルコンピュータ）、ＴＶ（テレビジョン）、複写機、などの家電関連の電子機器にも搭載することが可能である。特に、商用交流電源に接続されて使用する電子機器において、電源部が発熱するような電子機器に搭載されることで大変効果がある。
【００５３】
なお、本発明は上述した実施形態に限定されず、上述した実施形態に種々の変更や改良など加えることが可能である。変形例を以下に述べる。
【００５４】
（変形例１）前記各実施形態では、制御用ＣＰＵ７からパワー“OFF”信号を電源装置１が受取ると、タイマー部３１がタイマー回路３１１を起動し、所定時間、電源ファン４を継続して駆動させ、タイムアップの信号Ｓ２に基づいてコントロール回路Ａ３２１がトランジスタＴ１を“OFF”させている。しかし、これに限らず、電源ファン４の駆動電力が小さい場合には、制御用ＣＰＵ７からパワー“OFF”信号を電源装置１が受取ると、タイマー部３１はその信号に基づいてコントロール回路Ａ３２１によりトランジスタＴ１を“OFF”させても良い。そうすることでも主電源部２は直流出力電圧Vout2を生成できるため、タイマー部３１はタイマー回路３１１を起動させ電源ファン４を所定時間駆動することができる。それにより、主電源部２はより冷却され、信頼性を向上することができる。また、主電源部２の消費電流もさらに低減され、省エネルギーが実現できる。
【００５５】
（変形例２）前記各実施形態では、タイマー部３１および電源ファン４を直流出力電圧Vout2と平行に、コンデンサＣ４の後ろで、トランジスタＴ４の前の位置から分岐させて接続している。しかし、これに限らず、図５に示すように、タイマー回路３１１としてトランジスタＴ４のゲートに接続し、電源ファン４は、トランジスタＴ４の後ろで、出力端子の前の位置で並列に分岐し、接続しても良い。そうすることで、タイマー回路３１１がパワー“OFF”信号に基づいて起動し、所定時間経過後、トランジスタＴ４のゲートにタイムアップした信号として、“OFF”信号を入力することで、直接トランジスタＴ４を“OFF”することができる。そのため、スイッチ３１２も必要とせず、電源ファン４の駆動を停止させることができるため、構成が簡略化される。
【００５６】
（変形例３）前記各実施形態では、タイマー部３１には１つのタイマー回路３１１を備えて１つの電動ファンである電源ファン４を制御している。しかし、これに限らず、もう１つタイマー回路を追加するか、または、２系統のタイマー回路に変更することで、電動ファンをさらに１つ追加し、２つの電動ファンを制御するようにしても良い。これにより、制御用ＣＰＵ７からのパワー“OFF”信号に基づいて、２つの電動ファンを個別に所定時間駆動することが可能になる。そうすることで、２つの電動ファンを主電源部２やランプ１１の冷却を制御用ＣＰＵ７の制御を受けずに駆動できる。そのため、必要な時間を設定し十分冷却することで、主電源部２およびランプ１１の信頼性をさらに向上することができる。また、コントロール回路Ｃ４０は制御用ＣＰＵ７からのパワー“OFF”信号に基づいて、DC/DC変換回路２３の出力端子を一度に全て切ることができるため、制御用ＣＰＵ７の消費電力を低減できる。
【００５７】
前記実施形態および変形例から把握できる請求項以外の技術的思想について、以下にその効果とともに記載する。
（技術的思想１）電力を供給する電源装置であって、前記電源装置は、外部から入力する交流電力を各種の直流電力に変換し出力する主電源部と、前記主電源部に接続されて前記主電源部を冷却する電動ファンと、前記電源装置を制御する電源制御部とを備え、前記主電源部は、前記外部から入力する交流電力を整流・平滑する整流・平滑回路と、整流・平滑された直流電力を各種の直流電力に変換し出力するDC/DC変換回路とを備え、前記電源制御部は、前記電源装置を備える装置の制御を行う制御部からの電源出力停止信号を受取り、前記電源制御部に備わるタイマー回路を起動又は制御して、その計時時間が所定時間に達したとき、前記タイマー回路の出力信号に基づいて前記整流・平滑回路を停止させるか、または、前記整流・平滑回路および前記DC/DC変換回路を停止させる動作を行うことを特徴とする電源装置。
このような電源装置により、電源制御部は、電動ファンが所定時間駆動した後、タイマー回路の出力信号に基づいて整流・平滑回路の動作を停止させることができるため、電源装置の消費電力が低減できる。また、整流・平滑回路およびDC/DC変換回路を停止させることができるため、更に電源装置の消費電力が低減できる。よって省エネルギーが実現できる。
【００５８】
（技術的思想２）  電力を供給する電源装置であって、前記電源装置は、外部から入力する交流電力を各種の直流電力に変換し出力する主電源部と、所定の場所を冷却する複数の電動ファンと、前記電源装置を制御する電源制御部とを備え、当該電源制御部は、前記複数の電動ファンを別々または同じに制御するタイマー回路を備えて、前記電源装置を備える装置の制御を行う制御部からの電源出力停止信号を受取ると、前記タイマー回路を起動又は制御して、それぞれの前記電動ファンに対応した所定時間を計時後、対応する前記電動ファンの駆動を停止することを特徴とする電源装置。
このような電源装置により、制御部の電源出力停止信号を受取ると、タイマー回路が起動し、別々または同じに設定される所定時間の間、それぞれの電動ファンを駆動させることが可能となる。そして、所定の場所である、例えば、主電源部を２箇所で冷却することや、主電源部やプロジェクタの光源であるランプなどを冷却することができる。また、電気素子を冷却するのに必要な時間が個別に設定できるため効率的に冷却できる。
【図面の簡単な説明】
【００５９】
【図１】本発明の第１実施形態に係る電源装置をプロジェクタに備えた場合の電源装置および制御部の概略構成図。
【図２】電源装置の概略構成図。
【図３】電源装置の概略回路図。
【図４】本発明の第２実施形態に係る電源装置をＤＶＤ再生装置に搭載した概略構成図。
【図５】タイマー回路の接続位置の変形例。
【符号の説明】
【００６０】
１…電源装置、２…主電源部、３…電源制御部、４…電源ファン、５…サブ電源、６…制御部、７…制御用ＣＰＵ、８…サブＣＰＵ、９…ランプファン、１０…バラスト、１１…ランプ、１２…インレット、２１…ＥＭＣ用フィルター、２２…整流・平滑回路、２３…DC/DC変換回路、３０…整流器、３１…タイマー部、３２…コントロール回路、４０…コントロール回路Ｃ、５０…操作部、６０…機能動作部、７０…表示部、８０…スピーカ部、１００…ＤＶＤ再生装置、３１１…タイマー回路、３１２…スイッチ、３２１…コントロール回路を構成するコントロール回路Ａ、３２２…コントロール回路を構成するコントロール回路Ｂ。
【図１】
2005269864.tif 000003
【図２】
2005269864.tif 000004
【図３】
2005269864.tif 000005
【図４】
2005269864.tif 000006
【図５】
2005269864.tif 000007